(57)【要約】【課題】棟端部に配置される冠瓦の谷部側の端部を、漆喰やモルタルを用いることなく、乾式工法で塞いで、雨水等の侵入を防ぐことができる手段を提供することを目的とする。【解決手段】本発明に係る棟端部用冠瓦は、低い棟と高い棟とが相直交して設けられ、各棟の屋根面の境界に谷部が生じる際に、低い棟の谷部側の端部に配置される冠瓦であって、縦断面が円弧状、且つ、長手方向一端が平面視において中心軸を挟んで両側に４５°ずつ開いたＶ字型に突設されてなる瓦本体と、該瓦本体の幅方向両端から垂設された側壁部と、該側壁部の下端から階段状に形成され、桟瓦に当接する傾斜面を有する熨斗部と、瓦本体と直交して熨斗部の下端より更に下方へと突出して設けられるとともに、その下端が前記谷部の立上がり角と等しい角度で斜めに切り落とされてなる蓋部とを具備してなるものである。【選択図】      図１
2005016147.tif 000002
【特許請求の範囲】
【請求項１】
高さの異なる２つの寄せ棟屋根が相直交して設けられ、低い屋根と高い屋根とがぶつかる箇所に、平面視が逆Ｖ字形の谷部であるやつ谷が生じる際に、前記低い屋根の棟における前記やつ谷側の端部に配置される棟端部用冠瓦であって、
縦断面が円弧状、且つ、長手方向一端が平面視において中心軸を挟んで両側に４５°ずつ開いたＶ字形に突設されてなる瓦本体と、
該瓦本体の幅方向両端から下方に向かって垂設された側壁部と、
該側壁部それぞれの下端から階段状に形成され、前記低い屋根上に配設された桟瓦の上面に当接する傾斜面が下端に形成されてなるのし部と、
前記瓦本体の前記長手方向一端から前記瓦本体と直交して前記のし部の下端より更に下方へと突出して設けられるとともに、その下端が前記やつ谷の立上がり角と等しい角度で傾斜するように形成されてなる蓋部とを具備することを特徴とする棟端部用冠瓦。
【請求項２】
高さの異なる２つの寄せ棟屋根が相直交して設けられ、低い屋根と高い屋根とがぶつかる箇所に、平面視が逆Ｖ字形の谷部であるやつ谷が生じる際に、前記低い屋根の棟に沿って冠瓦を一列に配置する冠瓦の配置構造において、
前記低い屋根の棟における前記やつ谷側の端部に、縦断面が円弧状、且つ、長手方向一端が平面視において中心軸を挟んで両側に４５°ずつ開いたＶ字形に突設されてなる瓦本体と、該瓦本体の幅方向両端から下方に向かって垂設された側壁部と、該側壁部それぞれの下端から階段状に形成され、前記低い屋根上に配設された桟瓦の上面に当接する傾斜面が下端に形成されてなるのし部と、前記瓦本体の前記長手方向一端から前記瓦本体と直交して前記のし部の下端より更に下方へと突出して設けられるとともに、その下端が前記やつ谷の立上がり角と等しい角度で傾斜するように形成されてなる蓋部とを具備する棟端部用冠瓦を配置したことを特徴とする冠瓦の配置構造。
【発明の詳細な説明】
【０００１】
【発明の属する技術分野】
本発明は、棟の頂部に配置される冠瓦に関し、特に、棟の端部が谷になっている場合にこの棟端部に配置される棟端部用冠瓦に関するものである。
【０００２】
【従来の技術】
寄せ棟屋根では、一般的に、棟の頂部に冠瓦が配置される。ところで、高さの異なる２つの寄せ棟屋根が相直交して設けられる場合、低い屋根と高い屋根とがぶつかる箇所には、所謂やつ谷、八谷、Ｖ谷（以下、「やつ谷」という）等と呼ばれる、平面視が逆Ｖ字形の谷部が生じる。この時、低い屋根の棟におけるやつ谷側の端部に配置される冠瓦は、その山型の小口が露呈されるので、この小口から雨水等が侵入することを防止するために小口に対して防水用の端部処理を施す必要がある。この端部処理を施す手段としては、冠瓦の小口に漆喰やモルタルを詰め込んで塞ぐ方法や、冠瓦を屋根面に突き当てた上で、冠瓦と屋根面との間に生じた隙間を漆喰やモルタルで塞ぐ方法や、けらば用の役物瓦を流用する方法等がある。
【０００３】
図１２は、冠瓦の小口に防水用の端部処理を施す必要がある場合に、従来用いられている手段の一例を示す図である。図に示すように、下り棟３１と大棟３２との接続部３３においては、下り棟３１の冠瓦３４と大棟３２の冠瓦３５との間に生じた隙間３６から雨水等が侵入することを防止するために、冠瓦３４及び冠瓦３５の接続部３３側の端部３４ａ，３５ａをそれぞれ斜めにカットし、接続部３３にシリコンコーキング３７を施すことにより端部処理が行われる（特許文献１参照）。
【０００４】
【特許文献１】
特開平７−３１７２２４号公報
【０００５】
【発明が解決しようとする課題】
しかし、従来例に係る冠瓦の小口の端部処理では以下の問題点がある。すなわち、冠瓦の小口に漆喰やモルタルを詰め込んで塞ぐ方法は湿式工法であり、現場でモルタルを調合した上で小口への充填作業を行い、更にその硬化を待つ必要があるために、施工期間が長くなるという問題がある。また、漆喰やモルタルをどの程度の量使用するかが不明瞭であり、施工品質を一定に保つことが難しいという問題がある。一方、冠瓦を屋根面に突き当てて、冠瓦と屋根面との間に生じた隙間を漆喰やモルタルで塞ぐ方法では、冠瓦が谷板を跨ぐことになるため、冠瓦の固定が不安定になりやすいという問題や、美観を著しく損なうという問題がある。また、けらば用の役物瓦を流用する方法では、現場において、役物瓦を谷部の形状に合わせて切削加工等する必要があり、施工性が悪くなるという問題がある。
【０００６】
本発明は、このような問題に鑑みてなされたものであり、棟端部に配置される冠瓦のやつ谷側の端部を、漆喰やモルタルを用いることなく、乾式工法で塞いで、雨水等の侵入を防ぐことができる手段を提供することを目的とする。
【０００７】
【課題を解決するための手段】
上記目的を達成するための請求項１の発明は、高さの異なる２つの寄せ棟屋根が相直交して設けられ、低い屋根と高い屋根とがぶつかる箇所に、平面視が逆Ｖ字形の谷部であるやつ谷が生じる際に、前記低い屋根の棟における前記やつ谷側の端部に配置される棟端部用冠瓦であって、縦断面が円弧状、且つ、長手方向一端が平面視において中心軸を挟んで両側に４５°ずつ開いたＶ字形に突設されてなる瓦本体と、該瓦本体の幅方向両端から下方に向かって垂設された側壁部と、該側壁部それぞれの下端から階段状に形成され、前記低い屋根上に配設された桟瓦の上面に当接する傾斜面が下端に形成されてなるのし部と、前記瓦本体の前記長手方向一端から前記瓦本体と直交して前記のし部の下端より更に下方へと突出して設けられるとともに、その下端が前記やつ谷の立上がり角と等しい角度で傾斜するように形成されてなる蓋部とを具備するものである。
【０００８】
請求項２の発明は、高さの異なる２つの寄せ棟屋根が相直交して設けられ、低い屋根と高い屋根とがぶつかる箇所に、平面視が逆Ｖ字形の谷部であるやつ谷が生じる際に、前記低い屋根の棟に沿って冠瓦を一列に配置する冠瓦の配置構造において、前記低い屋根の棟における前記やつ谷側の端部に、縦断面が円弧状、且つ、長手方向一端が平面視において中心軸を挟んで両側に４５°ずつ開いたＶ字形に突設されてなる瓦本体と、該瓦本体の幅方向両端から下方に向かって垂設された側壁部と、該側壁部それぞれの下端から階段状に形成され、前記低い屋根上に配設された桟瓦の上面に当接する傾斜面が下端に形成されてなるのし部と、前記瓦本体の前記長手方向一端から前記瓦本体と直交して前記のし部の下端より更に下方へと突出して設けられるとともに、その下端が前記やつ谷の立上がり角と等しい角度で傾斜するように形成されてなる蓋部とを具備する棟端部用冠瓦を配置したものである。
【０００９】
【発明の実施の形態】
以下、本発明の実施例について図面に基づいて説明する。本実施例に係る棟端部用冠瓦１は、寄せ棟屋根における棟の頂部に配置される冠瓦であって、特に、図１１に示すように、高さの異なる２つの屋根２，３が相直交して設けられ、低い屋根２と高い屋根３とがぶつかる箇所に、前記やつ谷４が生じる場合に、低い屋根２の棟２Ｍにおけるやつ谷４側の端部２Ｍａに配置されるものである。図１乃至図６は、棟端部用冠瓦１を示す図であり、図１は斜視図、図２は平面図、図３は底面図、図４は正面図、図５は背面図、図６は側面図である。この棟端部用冠瓦１は、各図に示すように、瓦本体５と、この瓦本体５の左右両端から下方に向かって垂設された側壁部６と、この側壁部６の下端６ａに設けられたのし部７と、瓦本体５の長手方向一端５ａから瓦本体５と直角に垂設された蓋部８とを具備してなるものである。以下、各構成要素について更に詳細に説明する。
【００１０】
瓦本体５は、図２及び図５に示すように、縦断面が略円弧状であって、且つ、長手方向一端が平面視において中心軸を挟んで両側に４５°ずつ開いたＶ字形に突設されてなるものである。瓦本体５をこのような形状とすることにより、図１１に示すように、棟端部用冠瓦１を低い屋根２の棟２Ｍの端部２Ｍａに配置したときに、棟２Ｍを挟んで４５°の方向に生じた左右両側のやつ谷４の間に棟端部用冠瓦１を納めることができ、美観を損なうこともないという利点がある。もちろん、瓦本体５の形状は、本実施形態に限られず、やつ谷４の形状に応じて適宜設計変更が可能である。また、図２に示すように、瓦本体５の上面５ｂには、その長手方向に沿って所定の間隔でビス穴５ｃが設けられている。更に、この瓦本体５の幅方向両端から下方に向かって側壁部６が垂設されている。
【００１１】
のし部７は、図１に示すように、左右の側壁部６それぞれの下端６ａから階段状に形成されてなり、棟端部用冠瓦１に視覚的により立体感を持たせ、下から屋根を見上げたときに、図示しないのし瓦の上に丸瓦が載っているようなイメージを与えることを可能とするものである。また、図５に示すように、のし部７の下端７ｂには傾斜面７ａが形成されている。これにより、図７に示すように、棟端部用冠瓦１を低い屋根２の棟２Ｍの端部２Ｍａに配置する時に、この傾斜面７ａを、低い屋根２上に配設された桟瓦９の上面９ａに当接させて配置することで、桟瓦９の上に棟端部用冠瓦１を安定して配置することが可能となっている。従って、桟瓦９の上に図示しないのし瓦を複数段積み重ねてかさ上げした上に棟端部用冠瓦１を配置しなくても、桟瓦９の上に棟端部用冠瓦１を直接配置することができるので、のし瓦の施工が不要となる分、施工性の向上、及びコスト節減を図ることができる。
【００１２】
蓋部８は、図１に示すように、瓦本体５の長手方向一端５ａから瓦本体５と略直角に垂設され、棟端部用冠瓦１の一方の小口１ａを塞いで該小口１ａから雨水等が侵入するのを防止するためのものである。この蓋部８は、のし部７の下端７ｂより更に下方へと突出して設けられており、また、図１及び図１１に示すように、蓋部８の下端８ａは、やつ谷４の立上がり角βと等しい角度で傾斜するように形成されている。このような形状とすることにより、図７に示すように、棟端部用冠瓦１を棟２Ｍの端部２Ｍａに配置した時に、蓋部８の下端８ａが桟瓦９の下に施工された谷板１０の上面１０ａに密接するとともに、のし部７より下方へと突設された部分が、桟瓦９の厚み方向に係止される。これにより、棟端部用冠瓦１をより確実に配置することが可能となっている。
【００１３】
以下、棟端部用冠瓦１を棟２Ｍの端部２Ｍａに配置する手順について図８乃至図１１を用いて順を追って説明する。まず、図８に示すように、低い屋根２の棟２Ｍに施工された棟木１１に沿って、一対の面戸押え鉄板１２を棟木１１の左右両側から棟木１１に被せるようにして配置した上で、図示しない釘等により棟木１１に打ち付けて固定する。面戸押え鉄板１２は、その下端部１２ａに水密材からなる面戸押え材１３が設けられ、この面戸押え材１３により低い屋根２の最上部に配設された桟瓦９の上端部９ｂを抑えるものである。以下、これと同様にして、棟木１１の長手方向に沿って、面戸押え鉄板１２を順次配設していく。この時、相隣接する面戸押え鉄板１２の端部同士を一部重複させている。これにより、相隣接する面戸押え鉄板１２の間に隙間が生じて、この隙間から雨水等が棟２Ｍ内部へと侵入することを防止することができる。
【００１４】
次に、図９に示すように、低い屋根２の棟２Ｍにおけるやつ谷側の端部２Ｍａに、棟端部用面戸押え鉄板１４を配設する。棟端部用面戸押え鉄板１４は、面戸押え鉄板１２と同様の構成を有するものであるが、棟２Ｍの端部２Ｍａに配設できるように、その一端部１４ａが、図示しない中心軸に対して左右それぞれ４５°の角度をなすようにしてＶ字形に形成されている。このような形状とすることにより、棟端部用面戸押え鉄板１４を棟２Ｍの端部２Ｍａに配設したときに、棟２Ｍを挟んで４５°の方向に生じた左右両側のやつ谷４の間に納まるものとなっている。また、棟端部用面子押え鉄板１４の一方の端部１４ａからは、蓋部１４ｂが鉛直下方に垂設されており、雨水等が棟２Ｍの内部へと侵入しないようになっている。なお、棟端部用面戸押え鉄板１４の配設に際しても、棟端部用面戸押え鉄板１４の一端部１４ａを、隣接する面戸押え鉄板１２の端部と一部重複させるように配置し、図示しない釘等により棟木１１に打ち付けることにより固定する。
【００１５】
次に、図１０に示すように、面戸押え鉄板１２の上に、その長手方向に沿って帯状の防水シート１５を貼り付ける。これにより、棟木１１の左右に配設された一対の面戸押え鉄板１２の上端部１２ｂの間に生じた隙間１６を塞ぎ、この隙間１６から雨水等が棟２Ｍ内部に侵入することを防止している。また、防水シート１５は、棟端部用面戸押え鉄板１４の上まで貼り延ばし、やつ谷４側の端部１５ａは、棟端部用面戸押え鉄板１４の形状に合わせてＶ字形にカットしておく。
【００１６】
最後に、図１１に示すように、棟端部用冠瓦１を、防水シート１５の上方から被せるようにして配置する。この時、図７に示すように、のし部７の下端７ｂに形成された傾斜面７ａを、棟２Ｍの左右に施工された桟瓦９の上面９ａにそれぞれ当接させる。また、図７に示すように、蓋部８においてのし部７より下方に突設された部分を桟瓦９の厚み方向に係止させるとともに、蓋部８の下端８ａを前記谷板１０の上面１０ａに密接させる。これにより、棟端部用冠瓦１をより確実に配置することができる。棟端部用冠瓦１の配置後、図１１に示すように、瓦本体５の上面５ｂに設けられたビス穴５ｃにおいてパッキン付きビス１７を用いて棟木１１に固定する。パッキン付きビス１７は、図１１に拡大して示したように、ビス１７ａの頭部直下に、笠１７ｂに覆われたパッキン１７ｃが取り付けられたものであり、瓦本体５のビス穴５ｃにねじ込んだ時に、笠１７ｂと瓦本体５の上面５ｂとの間でパッキン１７ｃが押しつぶされることにより、ビス穴５ｃを塞ぎ、ビス穴５ｃから雨水等が侵入することを防止することが可能となっている。
【００１７】
その後、図１１に示すように、棟２Ｍに沿って棟中間部用冠瓦１８を順次配置する。棟中間部用冠瓦１８は、ここでは詳細な説明は省略するが、縦断面形状が棟端部用冠瓦１と同じ形状を有し、平面視が略矩形のものである。また、図に詳細は示さないが、棟２Ｍの軒先側の端部には、所謂かっぽんと呼ばれる軒先用の役物瓦を配置する。尚、棟中間部用冠瓦１８、及びかっぽんについても棟端部用冠瓦１と同様に、パッキン付きビス１７を用いて棟木１１に固定する。
【００１８】
【発明の効果】
以上説明したように、本発明によれば、棟端部に配置された棟端部用冠瓦の谷部側の小口を乾式工法で塞ぎ、小口から雨水等が棟の内部に侵入するのを防止することができる。これにより、施工期間の短縮、及び施工品質の画一化を図ることができるとともに、美観を損なうこともない。更に、本発明によれば、現場において冠瓦を谷部の形状に合わせて切削加工等する必要もないので、施工性を向上させることができる。
【００１９】
また、本発明によれば、蓋部においてのし部の下端より更に下方へと突設された部分を、桟瓦の厚み方向に係止させるとともに、蓋部の下端を谷板の上面に密接させることにより、棟端部用冠瓦をより確実に配置することができる。
【００２０】
また、本発明によれば、棟端部用冠瓦の配置に際して、のし部の下端に形成された傾斜面を桟瓦の上面に当接させることにより、桟瓦の上に直接配置することができる。これにより、桟瓦の上に熨斗瓦を複数段積み重ねてかさ上げする必要がないので、施工性の向上、コスト節減を図ることができる。
【図面の簡単な説明】
【図１】本発明の実施形態に係る棟端部用冠瓦を示す概略斜視図。
【図２】本発明の実施形態に係る棟端部用冠瓦を示す概略平面図。
【図３】本発明の実施形態に係る棟端部用冠瓦を示す概略底面図。
【図４】本発明の実施形態に係る棟端部用冠瓦を示す概略正面図。
【図５】本発明の実施形態に係る棟端部用冠瓦を示す概略背面図。
【図６】本発明の実施形態に係る棟端部用冠瓦を示す概略側面図。
【図７】本発明の実施形態に係る棟端部用冠瓦を棟端部に配置した状態を示す図。
【図８】本発明の実施形態に係る棟端部用冠瓦の配設手順を説明するための図。
【図９】本発明の実施形態に係る棟端部用冠瓦の配設手順を説明するための図。
【図１０】本発明の実施形態に係る棟端部用冠瓦の配設手順を説明するための図。
【図１１】本発明の実施形態に係る棟端部用冠瓦の配設手順を説明するための図。
【図１２】従来例に係る冠瓦の小口の端部処理を示す図。
【符号の説明】
１  棟端部用冠瓦
２  低い屋根
２Ｍ  低い屋根の棟
２Ｍａ  棟の端部
３  高い屋根
４  やつ谷
５  瓦本体
６  側壁部
７  のし部
７ａ  傾斜面
７ｂ  下端
８  蓋部
９  桟瓦
９ａ  桟瓦の上面
β  立上がり角
【図１】
2005016147.tif 000003
【図２】
2005016147.tif 000004
【図３】
2005016147.tif 000005
【図４】
2005016147.tif 000006
【図５】
2005016147.tif 000007
【図６】
2005016147.tif 000008
【図７】
2005016147.tif 000009
【図８】
2005016147.tif 000010
【図９】
2005016147.tif 000011
【図１０】
2005016147.tif 000012
【図１１】
2005016147.tif 000013
【図１２】
2005016147.tif 000014